(57)【要約】      （修正有）【課題】集音器を作動させるＯＮ／ＯＦＦの切り替えを、スイッチ操作によらず行うことが出来、毎回音量調節をする煩わしさも無く、切り忘れて電池を消耗してしまうことも無く、使用者に圧迫感や手の緊張などを強いることも無い集音器を提供する。【解決手段】スピーカーと握り部からなるスピーカー部２と、音量調節付き主電源スイッチ７とコンデンサマイク９およびこれらをコントロールする制御部１０からなる集音器１本体とで構成された集音器の主電源回路に、垂直から水平近くまで電源をＯＮし、水平近くなった時初めてＯＦＦする傾斜スイッチ２１を設ける。【選択図】図１
0003151891.tif 000002
【実用新案登録請求の範囲】
【請求項１】
スピーカーと握り部からなるスピーカー部と、音量調節付き主電源スイッチとコンデンサマイクおよびこれらをコントロールする制御部からなる集音器本体とで構成された集音器の主電源回路に、垂直から水平近くまで電源をＯＮし、水平近くなった時初めてＯＦＦする傾斜スイッチを設けたことを特徴とする集音器。
【考案の詳細な説明】
【技術分野】
【０００１】
本考案は、難聴者が使用する集音器（補聴器）を作動させるＯＮ／ＯＦＦの切り替えを、スイッチ操作によることなく行える集音器に関するものである。
【背景技術】
【０００２】
難聴者が使用する集音器としては、ヘッドホン型やインナーイヤ型、手持ち型などの集音器が開発されており、その電源の入り切りの煩わしさや切り忘れを解消する物としては、主電源スイッチ回路にタクトスイッチ（プッシュスイッチ）を付け加える方法や、主電源スイッチをタクトスイッチに置き換える方法で、耳に押し当てたり手に持ったりするだけで電源がＯＮし、耳から離したり手から離したりするだけでＯＦＦするように構成した集音器が開発されている。
【０００３】
例えば、図８に示すように、ヘッドホン内の主電源スイッチ回路にタクトスイッチを付け加えて、ヘッドホンを耳に装着した時電源がＯＮするようにしたヘッドホン型のものがある（例えば、特許文献1参照。）。また、特に図示しないが、放音手段が人体に装着状態で変位する可動部を有してなる補聴器等、イヤーホンの可動部の変位によって電源を供給するようにしたインイヤー型のものがある（例えば、特許文献２参照。）。また、図９に示すように、主電源スイッチと音量調節つまみとコンデンサマイクとイヤパッド付きスピーカーからなる集音器（助聴器）のイヤーパッド部にタクトスイッチを設けたものがある。また、特に図示しないが、補聴受信機が、その表面上部にスピーカーとその耳当て部を、その両側面のいずれかに主電源用スイッチとタクトスイッチを、その上下面のいずれかにアンテナやＬＥＤ等の電源ランプ表示部、ピンマイクの挿入孔を備えたもの等がある（例えば、特許文献３参照。）。
【０００４】
しかしながら、タクトスイッチを集音器のスピーカー部や握り部に設けたこれらの集音器は、スピーカー部に設けた場合は常にこれを耳に押し当ててその状態を保っていなければならず、握り部に設けた場合も、常に手に力を入れてタクトスイッチを押していなければならず、いずれも使用者に圧迫感や手の緊張などを常時強いるという問題点があり、また、音量調節付き主電源スイッチを使っている場合には毎回音量調整をしなければならない煩わしさもあり、これらは高齢者や障害者にとって大きな負担となっている。
【先行技術文献】
【特許文献】
【０００５】
【特許文献１】特開２００１−３２０７９１
【特許文献２】特開２００２−３０５７８５
【特許文献３】特開２００５−３０３９６３
【考案の概要】
【考案が解決しようとする課題】
【０００６】
本考案は、以上のような集音器を作動させるＯＮ／ＯＦＦの切り替えにタクトスイッチを適用した従来の集音器の問題点に鑑みてなされたものであって、集音器を作動させるＯＮ／ＯＦＦの切り替えを、スイッチ操作によらず行うことが出来、毎回音量調節をする煩わしさも無く、切り忘れて電池を消耗してしまうことも無く、使用者に圧迫感や手の緊張などを強いることも無い集音器の提供を目的とする。
【課題を解決するための手段】
【０００７】
前記目的を達成する為に本考案は、スピーカーと握り部からなるスピーカー部と、音量調節付き主電源スイッチと左右音量調節つまみ、コンデンサマイクおよびこれらをコントロールする制御部からなる集音器本体とで構成された集音器の主電源回路に、垂直から水平近くまで電源をＯＮし、水平近くなった時初めてＯＦＦする傾斜スイッチを設ける。
【考案の効果】
【０００８】
請求項１の考案によれば、集音器を作動させるＯＮ／ＯＦＦの切り替えを、スイッチ操作によらず行うことが出来、毎回音量調節をする煩わしさも無く、切り忘れて電池を消耗してしまうことも無く、使用者に圧迫感や手の緊張などを強いることも無い集音器の提供が出来る。
【図面の簡単な説明】
【０００９】
【図１】本考案の集音器の第１実施例の構成図である。
【図２】第１実施例の傾斜スイッチの正面縦断面図である。
【図３】第１実施例の集音器のウイングの機能を説明する図である。
【図４】第１実施例の集音器の電気回路を表す図である。
【図５】第１実施例の傾斜スイッチのリードスイッチと永久磁石の関係を説明する図である。
【図６】第１実施例の傾斜スイッチが水平に置かれた状態を表すＢ−Ｂ断面矢視図である。
【図７】第１実施例の傾斜スイッチを使用した集音器の使用法を表す図である。
【図８】従来のヘッドホン型集音器の電気回路を表す図である。
【図９】他の従来の手持ち型集音器の構成図である。
【考案を実施するための形態】
【００１０】
スピーカーと握り部からなるスピーカー部と、音量調節付き主電源スイッチと左右音量調節つまみ、コンデンサマイクおよびこれらをコントロールする制御部からなる集音器本体とで構成された集音器の主電源回路に、垂直から水平近くまで電源をＯＮし、水平近くなった時初めてＯＦＦする傾斜スイッチを設ける。
【実施例】
【００１１】
以下、図面に基づき本考案の最良の実施形態について述べる。なお、以下に述べる実施の形態は、本考案の最良の具体例であるから、技術的に好ましい限定がなされているが、本考案の範囲は、以下の説明において特に本考案を限定する旨の記載がない限り、これらの態様に限られるものではない。
【００１２】
まず、図１において、集音器１は、スピーカー部２と集音器本体６とからなるが、スピーカー部２は、スピーカー３と傾斜スイッチ２１、握り部４およびウイング５からなり、集音器本体６は、音量調節付き主電源スイッチ７と左右音量調節つまみ８、コンデンサーマイク９、制御部１０、本体ケース１１からなる。傾斜スイッチ２１は、円柱状の握り部４の先端に、スピーカー部２が「くの字状」を呈するように取り付けられている。スピーカー３は、イヤホン用スピーカーに対してサイズ、音量ともに大きいヘッドホン用スピーカーであり、図１および図２に示すように、傾斜スイッチ２１の側面の上キャップ２５側にずらして取り付けられている。また、図１および図３に示すように、集音器１をテーブル上に置いた時、スピーカー３と傾斜スイッチ２１および握り部４が互いに支え合って傾斜スイッチが水平近く以上の角度で安定し、電源が入ったままにならないように、傾斜スイッチ（握り部）を水平近くまで回転させる三日月状のウイング５が握り部４の傾斜スイッチ２１側先端に設けられている。
【００１３】
また、図２に示す傾斜スイッチ２１から出た配線コード１４は、図１および図４に示すように、握り部４の配線用抜き穴と電源端子１２を経て制御部１０（集音器１の制御回路は、図４に限定するものではない）の主電源回路に直接組み込まれ、接続されている。一方、スピーカー３から出たスピーカーコード１５は、筒体２３下部に開けられた配線用抜き穴４０から傾斜スイッチ２１に入り、下キャップ２４の配線用抜き穴４０から出て、握り部４の配線用抜き穴とスピーカー端子１３を経て制御部１０の出力端子に接続されている。なお、配線コード１４とスピーカーコード１５とは、少なくともスピーカー部２と集音器本体６の間は一体化されている。
【００１４】
なお、集音器は、頭や耳に装着する物であっても手持ちの物であっても、いずれも身に付けて使用する物であるから、全ての方向に対して垂直から水平近くまで傾けて使う可能性があり、しかも、身体を動かす事によって生ずる振動下での使用も考えられる。したがって、集音器に使用する傾斜スイッチは、傾斜スイッチを倒した時、その全ての方向に対して垂直から水平近くまでＯＮ状態が安定して保たれ、水平近くになって初めてＯＦＦ状態になるものでなければならず、更に、身体を動かしてもチャタリングを発生しない、振動に対して安定した傾斜スイッチでなければならない。
【００１５】
一方、永久磁石が垂直方向からリードスイッチに近付く場合、図５に示すように、リードスイッチの中央部にＯＦＦ領域が、両サイドにＯＮ領域が発生する。したがって、リードスイッチを駆動する永久磁石を単純にリードスイッチの中央に位置させるとＯＮ、ＯＦＦ切り替えが不安定になりやすい。また、振動によっても相互位置が変化するので、ＯＮ、ＯＦＦ切り替えが不安定になりやすい。すなわち、ＯＮ、ＯＦＦの切り替えを確実にするためには、永久磁石の中心がリードスイッチの片側のＯＮ領域の中心に来るようにリードスイッチを偏芯させて置くことが重要である。そこで、本考案における傾斜スイッチ２１は次のように構成する。
【００１６】
すなわち、図２において、傾斜スイッチ２１を構成する筐体２２は、薄肉、円筒状の筒体２３に、鍔付きの下キャップ２４と同じく鍔付きの上キャップ２５とを嵌め込んで構成する。下キャップ２４の上面中央には、リードスイッチ３１の外径よりも厚い１対の滑り子受け台３０がリードスイッチが嵌まり込むだけの隙間を空けて一体的に配設されている。下キャップ２４の外縁近くには、配線コード１４を通す配線用抜き穴４０が設けてあり、筒体２３と滑り子受け台３０の間には配線コード１４を通す隙間を設けてある。また、筒体２３下部には、スピーカーコード１５を通す配線用抜き穴４０が設けてある。
【００１７】
リードスイッチ３１は、図２および図６に示すように、下キャップ２４の外縁側にずらして滑り子受け台３０間の隙間に嵌め込まれ、滑り子３３の中心に対して偏芯して下キャップ２４上面に固定されている。リードスイッチ３１の端子３２には配線コード１４が半田付けされており、該配線コードは滑り子受け台３０を巻く様にして下キャップの配線用抜き穴４０から握り部４の配線用抜き穴へと導き出されている。
【００１８】
また、上下のキャップ２４、２５に挟まれた筒体２３内部には、下キャップ２４側に厚肉円筒状のカラー２９が、上キャップ２５側に薄肉円筒状のカラー２８が筒体２３の内周に接して嵌め込まれている。薄肉、円錐台状の円錐台状隔壁２６は、その小径側をカラー２９に差し込まれ、大径側を筒体２３とカラー２８によって押えられて固定されているが、該円錐台状隔壁の内面はカラー２８の内面とともに滑らかな連続した斜面を形成している。なお、カラー２９の下面は滑り子受け台３０の上面に接し、カラー２８の上面は上キャップ２５の下面に接し、それぞれの位置を保つようになっている。
【００１９】
なお、筐体２２を構成する筒体２３、下キャップ２４、上キャップ２５、円錐台状隔壁２６、カラー２８、カラー２９、滑り子受け台３０はいずれも非磁性体で構成されており、筐体２２は全体として非磁性体である。また、本実施例において、筐体２２は分割した部品を組合わせて構成されているが、一体物であってもいいことは当然である。
【００２０】
滑り子３３は、図２に示すように、滑り子受け台３０側から、軽量な円筒状の非磁性体からなるカラー３４と円柱状の永久磁石３５、軽量な円筒状の非磁性体からなるカラー３６および前三者に対してより重い材質からなる円柱状の重り３７が一体的に積層され、表面が滑らかな円柱状に形成されており、その上面中央に一体的に接続された柔軟で細い紐体３８によって揺動、移動自在に、かつ、その下面が滑り子受け台３０に接するように、上キャップ２５の中央部から垂下されている。
【００２１】
滑り子３３の重心３９は、図６に示すように、傾斜スイッチ２１を水平に倒し、滑り子を下キャップ２４側に寄せた時、円錐台状隔壁２６の下端エッジ部２７を支点として常に上キャップ２５側に、しかも、下端エッジ部近くにあるように構成されている。また、滑り子３３は、上キャップ２５側に寄せた時、下端エッジ部２７から少なくともその先端が出ているような長さに形成されており、滑り子３３が上キャップ２５下面に接した状態で、滑り子３３はリードスイッチ３１のＯＮ領域から確実に離脱するような位置関係になっている。なお、傾斜スイッチ２１を水平に倒した時、滑り子３３が自由に転倒して上キャップ２５側に滑落できるように、カラー２９の内径は下端エッジ部２７の内径よりも大きく構成され、円錐台状隔壁２６とカラー２８の形成する斜面は、滑り子が重力によって速やかに滑落して上キャップ２５に接するに十分な勾配に構成されている。なお、カラー２９の内径、下端エッジ部２７の内径および滑り子３３の外径の取合いによっては、紐体３８は省略できる。
【００２２】
スピーカー３は、傾斜スイッチ２１に取り付けるが、磁気干渉を避ける為に、図１、図２に示すように、スピーカーを傾斜スイッチの上方（上キャップ２５側）にずらして取り付け、スピーカーをリードスイッチから可能な限り離すことが望ましい。また、取り付けは、一体的に固定しても良いが、面ファスナーなどで位置変え自在にして、使用者の状態に合わせるようにしてもいいことは当然である。
【００２３】
集音器１は、図７で示すように、握り部４を持ってスピーカー３を耳に当て、握った手を頬に当てて使うが、スピーカー部２が「くの字状」を呈しているので、スピーカーを普通に耳に当てると、傾斜スイッチ２１が自然に垂直に保持され、ＯＮ状態になるようになっている。また、握り部を握った手をひねる事無く頬に付けられるので、スピーカーを楽に保持することができる。なお、特に図示しないが、使い方によっては、集音器を「くの字状」に構成せず、ストレートにしてもよく、また、握り部を集音器本体とすることで、集音器本体６とスピーカー部２を一体化することも当然考えられる。また、左右音量調節つまみ８は、スピーカー部２を両耳用のヘッドホンタイプやイヤホンタイプとし、その左右のスピーカーのどちらかの近傍に傾斜スイッチを設けた場合の左右音量調節に使用するが、スピーカーが１つの場合は、音量調節付き主電源スイッチ７で音量を調節し、左右音量調節つまみ８は廃止してよいことは当然である。
【００２４】
上記のように構成された集音器１は通常、音量調節付き主電源スイッチ７を入れたままとし、音量も使用者に合わせて調整しておき、ＯＮ、ＯＦＦの切り替えは傾斜スイッチ２１によって行う。音量調節付き主電源スイッチ７を使うのは、集音器１を持ち運ぶ時だけである。
【００２５】
本考案になる集音器１は、以上詳細に述べて来たような構成であるので、本考案によれば、次のような効果を得ることが出来る。
【００２６】
集音器のＯＮ、ＯＦＦの切り替えを傾斜スイッチによって行うので、スイッチを入れたり切ったり、音量調節したりする煩わしさが無く、しかも、切り忘れて電池を消耗してしまうことも無く、タクトスイッチを使った場合のように、使用者に圧迫感や手の緊張などを強いることも無い。
【００２７】
滑り子の中心がリードスイッチの片側のＯＮ領域の中心に来るようにリードスイッチを偏芯させてあり、滑り子の重心が、下端エッジ部を支点として常に上キャップ側に、しかも、下端エッジ部近くにあり、水平近くで転倒した滑り子は重力を利用して速やかにＯＮ領域を離脱するが、円錐台状隔壁が円錐台状であり、滑り子が円柱状であるので、傾斜スイッチのＯＮ状態は、その全ての方向に対して垂直から水平近くまで安定して保たれ、水平近くになって初めてＯＦＦ状態になる。また、振動に対して安定しているのでチャタリングが発生しない。また、スピーカーを傾斜スイッチの上方にずらして取り付けているので、スピーカーとリードスイッチとが離れていて磁気干渉が避けられ、誤動作がない。また、握り部に三日月状のウイングを設けているので、テーブルに置かれた傾斜スイッチは必ず水平近い状態になるので、確実なＯＮ、ＯＦＦの切り替えが出来、その状態も安定している。
【００２８】
スピーカー部が「くの字状」を呈するので、スピーカーを耳に当てると、傾斜スイッチが自然に垂直に保持されるので、使用者は前後左右、垂直から水平近くまで、自由な姿勢をとることが出来る。また、握り部を握った手を自然に頬に付けられるので、「直線状」の集音器に比べて楽に保持することができる。また、スピーカーが、イヤホン用スピーカーに対してサイズ、音量ともに大きいヘッドホン用スピーカーであるので耳近傍に保持すればよく聞こえ、スピーカーを常時耳に押し付けてその位置を保つ必要が無い。傾斜スイッチの構成が単純な集音器用傾斜スイッチであるので、集音器全体が単純に、小型、軽量化できる。
【産業上の利用可能性】
【００２９】
本考案になる集音器は、以上述べたように、単純な構成であるので、集音器を作動させるＯＮ／ＯＦＦの切り替えを、スイッチ操作によらず行うことが出来、毎回音量調節をする煩わしさも無く、切り忘れて電池を消耗してしまうことも無く、使用者に圧迫感や手の緊張などを強いることも無い集音器を提供することが出来る。
【符号の説明】
【００３０】
１      集音器
２      スピーカー部
３      スピーカー
４      握り部
５      ウイング
６      集音器本体
７      主電源スイッチ（音量調節付き）
８      左右音量調節つまみ
９      コンデンサマイク  
１０    制御部
１１    本体ケース
１２    電源端子
１３    スピーカー端子
１４    配線コード
１５    スピーカーコード
２１    傾斜スイッチ
２２    筐体
２３    筒体
２４    下キャップ
２５    上キャップ
２６    円錐台状隔壁
２７    下端エッジ部
２８    カラー
２９    カラー
３０    滑り子受け台
３１    リードスイッチ
３２    端子
３３    滑り子
３４    カラー
３５    永久磁石
３６    カラー
３７    重り
３８    紐体
３９    重心
４０    配線用抜き穴
【図１】
0003151891.tif 000003
【図２】
0003151891.tif 000004
【図３】
0003151891.tif 000005
【図４】
0003151891.tif 000006
【図５】
0003151891.tif 000007
【図６】
0003151891.tif 000008
【図７】
0003151891.tif 000009
【図８】
0003151891.tif 000010
【図９】
0003151891.tif 000011